(57)【特許請求の範囲】
【請求項１】
商用電源に接続された主負荷用コンセントと、商用電源に開閉接点を介して接続された１乃至複数の従負荷用コンセントと、商用電源と主負荷用コンセントとの間を流れる電流を感知すると開閉接点を開閉駆動して商用電源から従負荷用コンセントへの給電を可能とする電流感知回路と、この電流感知回路を構成する回路部品が少なくとも実装された１乃至複数の回路基板とを器体内に納装して成り、他の部位よりも前面側へ突出する突台部を器体に設けるとともに、この突台部内に回路基板の少なくとも一部を収納して成り、本体前面に栓刃挿入口を有し本体内部に栓刃を受ける刃受け部材及び刃受け部材と導通する端子板が内装され端子板の少なくとも一部を本体外に露出させて成る主負荷用コンセント並びに従負荷用コンセントを、一面が開口するボディ及びボディの開口側に覆着されるカバーで構成した器体内に納装し、主負荷用コンセント及び従負荷用コンセントの栓刃挿入口を含む前面の一部を露出させる露出窓をカバーの前面に設けるとともに、主負荷用コンセントの一部が露出する露出窓を含めたカバーの部位に前記突台部を設けたことを特徴とする電源タップ。
【請求項２】
器体の突台部が設けられた部位の幅方向両端近傍に回路基板が起立状態で固定される回路基板固定部を設けたことを特徴とする請求項１記載の電源タップ。
【請求項３】
コンセントに差し込まれる栓刃がハウジングに突設されて成る電源アダプタの該ハウジングの一面に面接触するアダプタ載置台を器体の前面に形成したことを特徴とする請求項１又は２記載の電源タップ。
【請求項４】
器体の背面にマグネットを配設して成ることを特徴とする請求項１又は２又は３記載の電源タップ。
【発明の詳細な説明】
【０００１】
【発明の属する技術分野】
本発明は、主負荷に給電する主負荷用コンセントと、主負荷への給電が行われている間にのみ従負荷に給電する従負荷用コンセントとを備えた電源タップに関するものである。
【０００２】
【従来の技術】
従来より、主負荷に給電する主負荷用コンセントと、主負荷への給電が行われている間にのみ従負荷に給電する従負荷用コンセントとを備えた電源タップが提供されている（例えば、特開平４−２２３０７８号公報等参照）。この種の電源タップは、コンピュータ、オーディオシステム、ビデオシステムなどのように、主機器と、主機器に従属した周辺機器とにより構成されたシステムに給電するような場合に用いられるものである。すなわち、主機器に給電されているときにのみ周辺機器に給電されるようにして、主機器の電源の入切を操作するだけで、システム全体の電源の入切ができるようにするものである。
【０００３】
この目的を達成するために、主負荷用コンセントは商用電源に直接に接続され、従負荷用コンセントは電磁リレーの開閉接点を介して商用電源に接続される。電磁リレーは、商用電源から主負荷用コンセントに至る通電経路の電流を検出する変流器の出力に応じて駆動される。すなわち、主負荷がオンになって上記通電経路に所定値以上の電流が流れると電磁リレーが駆動されて開閉接点がオンになるのである。
【０００４】
【発明が解決しようとする課題】
ところで、上述のように変流器や電磁リレーなどを具備して商用電源と主負荷用コンセントとの間を流れる電流を感知すると電磁リレーを駆動して開閉接点をオンオフする電流感知回路は、その回路部品がプリント基板から成る回路基板に実装されて器体内に納装される。この回路基板には変流器や電磁リレーのように比較的に大型の回路部品が実装されているので、回路基板を納装する器体もそれに応じて幅広に形成され、そのために電源タップの収納性に不具合が生じ易いという問題がある（第１の問題点）。
【０００５】
また、従来は一般的に回路基板を器体にねじ止めして固定しており、部品点数や生産性の面で不利となるという問題がある（第２の問題点）。
一方、近年では各種電気機器において電源アダプタ（所謂ＡＣアダプタ）が用いられており、電源アダプタにはハウジングから栓刃が直接突設されているものが多い。この種の電源アダプタを従来より提供されている電源タップに接続した場合に、従来の電源タップでは電源アダプタのハウジングとの接触面積を大きくとることができないものであるから、電源アダプタの自重で栓刃が抜け易く、栓刃が充分に差し込まれないことによって発熱量が増加したり、栓刃の一部が露出して異物との接触による短絡が生じ易いという問題や、電源アダプタのハウジングが他の栓刃挿入口を塞いでしまうという問題がある（第３の問題点）。
【０００６】
請求項１の発明は上記第１の問題点に鑑みて為されたものであり、その目的とするところは、器体の幅寸法を小さくできて収納性が向上する電源タップを提供することにある。
また、請求項２の発明は上記第２の問題点に鑑みて為されたものであり、その目的とするところは、ねじなどの取付部品を用いずに回路基板を器体内に固定できて部品点数の削減並びに生産性の向上が図れる電源タップを提供することにある。
【０００７】
さらに、請求項３の発明は上記第３の問題点に鑑みて為されたものであり、その目的とするところは、電源アダプタの接続に適した電源タップを提供することにある。
【０００８】
【課題を解決するための手段】
請求項１の発明は、上記目的を達成するために、商用電源に接続された主負荷用コンセントと、商用電源に開閉接点を介して接続された１乃至複数の従負荷用コンセントと、商用電源と主負荷用コンセントとの間を流れる電流を感知すると開閉接点を開閉駆動して商用電源から従負荷用コンセントへの給電を可能とする電流感知回路と、この電流感知回路を構成する回路部品が少なくとも実装された１乃至複数の回路基板とを器体内に納装して成り、他の部位よりも前面側へ突出する突台部を器体に設けるとともに、この突台部内に回路基板の少なくとも一部を収納して成り、本体前面に栓刃挿入口を有し本体内部に栓刃を受ける刃受け部材及び刃受け部材と導通する端子板が内装され端子板の少なくとも一部を本体外に露出させて成る主負荷用コンセント並びに従負荷用コンセントを、一面が開口するボディ及びボディの開口側に覆着されるカバーで構成した器体内に納装し、主負荷用コンセント及び従負荷用コンセントの栓刃挿入口を含む前面の一部を露出させる露出窓をカバーの前面に設けるとともに、主負荷用コンセントの一部が露出する露出窓を含めたカバーの部位に前記突台部を設けたことを特徴とし、従来例に比較して器体の幅寸法を小さくすることが可能となって収納性を向上することができるとともに、刃受け部材及び端子板がコンセントの本体に内装されるから、器体とともに二重に絶縁することになって安全性の向上が図れ、しかも、主負荷用コンセントや従負荷用コンセントをユニット化してボディとカバーから構成される器体内に収納するために組立が容易になって生産性が向上できる。
【０００９】
請求項２の発明は、請求項１の発明において、器体の突台部が設けられた部位の幅方向両端近傍に回路基板が起立状態で固定される回路基板固定部を設けたことを特徴とし、回路基板を固定するのにねじなどの取付部品が不要となって部品点数の削減並びに生産性の向上が図れる。
請求項３の発明は、請求項１又は２の発明において、コンセントに差し込まれる栓刃がハウジングに突設されて成る電源アダプタの該ハウジングの一面に面接触するアダプタ載置台を器体の前面に形成したことを特徴とし、アダプタ載置台によって電源アダプタとの接触面積を比較的に大きくとって電源アダプタをぐらつきなく安定して保持することができ、しかも、電源アダプタのハウジングで他のコンセントが塞がれることもなく使い勝手がよくなる。
【００１０】
請求項４の発明は、請求項１又は２又は３の発明において、器体の背面にマグネットを配設して成ることを特徴とし、マグネットを金属製の机やキャビネットなどに吸着させることで電源タップを床以外に容易に設置でき、電源タップが床に転がって邪魔になるようなことがなくなる。
【００１１】
【発明の実施の形態】
以下、本発明の一実施形態を図１〜図９を参照して詳細に説明する。
図８は本実施形態を示す回路図であり、商用電源に接続されるプラグＰに、主負荷用コンセント２０が接続されるとともに、電磁リレーＲｙのリレー接点（開閉接点）ｒを介して従負荷用コンセント３０が接続される。プラグＰと主負荷用コンセント２０との間の通電経路には、主負荷用コンセント２０への電流を検出する変流器ＣＴが挿入される。また、プラグＰの両給電極間には、サージ吸収素子ＺＮＲ、抵抗Ｒ1 、コンデンサＣ3 及びダイオードブリッジＤＢの交流入力端が並列に接続される。
【００１２】
変流器ＣＴの出力により、リレー駆動回路ＤＲを介して電磁リレーＲｙが駆動される。すなわち、リレー駆動回路ＤＲでは、変流器ＣＴの出力を増幅回路ＡＭＰで増幅した後、積分回路ＩＮＴを通して平均化する。積分回路ＩＮＴの出力は、コンパレータＣＰによって基準電圧と比較され、積分回路ＩＮＴの出力レベルが基準電圧以上であると、電磁リレーＲｙのコイルに直列接続されたサイリスタＳＣＲをターンオンして、リレー接点ｒを閉じる（オンする）のである。コンパレータＣＰの基準電圧は、上記ダイオードブリッジＤＢの出力をコンデンサＣ2 で平滑した後、ツェナーダイオードＺＤで安定化することにより得られる。而して、変流器ＣＴ、リレー駆動回路ＤＲ、電磁リレーＲｙ等で電流感知回路が構成されており、電流感知回路を構成する各回路部品が図１に示すように２枚の回路基板４１1 ，４１2 に振り分けて実装される。
【００１３】
ところで、電磁リレーＲｙのリレー接点ｒがオンになるのに必要な負荷電流（商用電源と主負荷用コンセント２０との間に流れる電流）の大きさは、変流器ＣＴの巻数比、増幅回路ＡＭＰの増幅率、コンパレータＣＰの基準電圧などによって決定される。而して本実施形態では、増幅回路ＡＭＰの増幅率を切り換えるスイッチＳＷが設けてあり、このスイッチＳＷにより増幅率を下げて低感度に設定しておけば、主負荷用コンセント２０に接続される主負荷のオフ時に微小な負荷電流を流し続けるような場合に対応でき、反対に増幅率を上げて高感度に設定しておけば、負荷電流が微小な主負荷に対応できるのである。なお、このスイッチＳＷは、後述するように回路基板４１1 に実装されており、器体１を組み立てる際に低感度か高感度かに切り換えて設定される。但し、ユーザが使用状況に応じて器体１を開けてスイッチＳＷを切り換えることも可能である。また、スイッチＳＷの操作つまみを器体１の外から操作可能な構造としてもよい。
【００１４】
上述のような回路構成を有する電源タップは、図１及び図２に示すように、組立ねじ（図示せず）により結合されるボディ２とカバー３とから成る器体（ケース）１に納装される。主負荷用コンセント２０及び従負荷用コンセント３０は、それぞれ独立したケース（本体）２１，３１を備えている。
図４及び図５に示すように、主負荷用コンセント２０のケース２１は、一面が開口する箱形に形成されたボディ２１ａと、ボディ２１ａの開口面側に覆着されるカバー２１ｂとで構成され、ボディ２１ａ並びにカバー２１ｂの側面に各々突設されたボス部２１ｃ，２１ｃの貫通孔２１ｄに挿通したかしめ鋲２４をかしめて結合される。また、主負荷用コンセント２０は主負荷のみに給電するのであるから、カバー２１ｂに突設されたボス部２１ｅの前面に一対の栓刃挿入口２２が１組だけ設けられる。ボディ２１ａの内部には絶縁壁２３ａで仕切られた２つの収納凹所２３，２３が設けてあり、各収納凹所２３，２３内に、栓刃を受ける刃受け部材としての刃受けばね２５をかしめ鋲２７にて端子板２６，２６にかしめ固定したものが収納される。本実施形態においては、板状の栓刃に一般に設けられている孔を利用して栓刃の抜け止めを行う形式のいわゆる抜止形の機構を採用している。例えば、主負荷の電源プラグの栓刃を栓刃挿入口２２に挿入するものとすれば、栓刃の挿入後に栓刃挿入口２２の開口面に沿って電源プラグを回転させると栓刃に設けた孔が刃受けばね２５に設けた抜止突起２５ａに係合して栓刃の抜け止めがなされるものである。このように栓刃の抜け止めを行うために栓刃挿入口２２は弧状に形成されている。
【００１５】
各刃受けばね２５は、一対のばね片２５ｂの一端部間を連結片２５ｃを介して連続一体的に結合した形状を有し、両ばね片２５ｂは栓刃を保持できる程度に互いに近接して配置される（通常は互いに接触する）。また、両ばね片２５ｂは栓刃挿入口２２の開口面に沿って弧状に湾曲し、一方のばね片２５ｂに他方のばね片２５ｂに向かう抜止突起２５ａが突設される。従って、栓刃を両ばね片２５ｂの間に挿入し、栓刃の孔を抜止突起２５ａに一致させるように回転させると、栓刃の孔が抜止突起２５ａに係合して栓刃の抜け止めがなされるのである。
【００１６】
また、略Ｌ形に折曲形成された端子板２６の一端には、図５に示すようにケース２１外へ突出する端子部２６ａが一体に突設されており、端子部２６ａに穿孔された孔２６ｂに電線４２の芯線が挿入され且つ半田付けなどの適宜の方法で接続される。なお、２６ｃはかしめ固定された刃受けばね２５を支持する支持片である。
【００１７】
一方、図６に示すように、従負荷用コンセント３０のケース３１は、一面が開口する箱形に形成されたボディ３１ａと、ボディ３１ａの開口面側に覆着されるカバー３１ｂとをかしめ鋲３４により結合することで形成される。かしめ鋲３４はボディ３１ａ内に立設されたボス３１ｃの貫通孔３１ｄからカバー３１ｂに形成されたかしめ接続孔３１ｆに挿通されてかしめられる。カバー３１ｂの前面には器体１を構成するカバー３に設けた露出窓４に挿入される４個のボス部３１ｅが長手方向に沿って一列に列設されており、各ボス部３１ｅには各々一対の栓刃挿入口３２が開口させてある。ボディ３１ａの内部は長手方向に沿った絶縁壁３３ａで仕切られた２つの収納凹所３３，３３が設けてあり、各収納凹所３３，３３内に、４つの刃受けばね３５が帯板状の端子板３６に略等間隔に一体形成された刃受けばねブロックＢが収納される。各刃受けばね３５は、端子板３６の幅方向両端縁から一対のばね片３５ｂが突設された形状を有し、両ばね片３５ｂは栓刃を保持できる程度に互いに近接して配置される（通常は互いに接触する）。また、両ばね片３５ｂは栓刃挿入口３２の開口面に沿って弧状に湾曲し、一方のばね片３５ｂに他方のばね片３５ｂに向かう抜止突起３５ａが突設される。従って、主負荷用コンセント２０と同様に、栓刃を両ばね片３５ｂの間に挿入し、栓刃の孔を抜止突起３５ａに一致させるように回転させると、栓刃の孔が抜止突起３５ａに係合して栓刃の抜け止めがなされるのである。
【００１８】
また、端子板３６の両端部は略Ｌ形に折曲されており、その片方の先端部が端子部３６ａとしてケース３１外に突出させてある。ケース３１外に突出する端子部３６ａには、電線４２の芯線が挿入される孔３６ｂが穿孔されており、この孔３６ｂに挿入された電線４２の芯線が半田付けなどの適宜の方法で端子部３６ａに接続される。
【００１９】
このように主負荷用コンセント２０及び従負荷用コンセント３０を電源タップの器体１とは別体のケース２１，３１を有するようにユニット化することにより、器体１とともに二重に絶縁することになって安全性の向上が図れるとともに、ボディ２とカバー３から構成される器体１内に収納する組立が容易になって生産性が向上できるという利点がある。
【００２０】
上述のように構成される主負荷用コンセント２０、従負荷用コンセント３０、並びに電磁リレーＲｙや変流器ＣＴ等の回路部品が実装された２枚の回路基板４１1 ，４１2 がボディ２とカバー３から成る器体１内に納装される。また、ボディ２及びカバー３の一方の端壁には、先端にプラグＰを備えた電源コード６を導入するための切欠７が設けてあり、この切欠７と対向する位置に端壁との間で隙間を空けて壁部８がボディ２及びカバー３の底面より立設されている。而して、ボディ２の端壁と壁部８との隙間に、電源コード６の外周部分に設けた平板状のブッシング６ａを収納してボディ２及びカバー３の端壁と壁部８とで電源コード６を保持するようにしてある（図２参照）。
【００２１】
ボディ２の一端側底面には、主負荷用コンセント２０が載置されるリブ２ａが突設されている。また、ボディ２の他端側から中央にかけての底面には、従負荷用コンセント３０が載置されるリブ２ｂが突設されている。なお、２ｃはボディ２とカバー３を結合するための組立ねじが挿通されるボスである。
ここで、２枚の回路基板４１1 ，４１2 は、ボディ２の長手方向における主負荷用コンセント２０と従負荷用コンセント３０の間に配置される。すなわち、ボディ２の幅方向両端近傍に溝５ａを有するリブ状の回路基板固定部５が突設されており、図１及び図２に示すように起立させた状態の回路基板４１1 ，４１2 の端部を回路基板固定部５の溝５ａに挿入することで、ねじのような取付部材を用いずに回路基板４１1 ，４１2 をボディ２に固定することができ、部品点数の削減と生産性の向上が図れるものである。
【００２２】
ところで、カバー３の主負荷用コンセント２０及び回路基板４１1 ，４１2 に対向する部位には、他の部位（従負荷用コンセント３０に対向する部位）よりも前面側へ突出する突台部９が設けてあり、ボディ２の回路基板固定部５に起立状態で固定されている回路基板４１1 ，４１2 が突台部９の内側に収納されることになる。而して、カバー３に突台部９を設けて回路基板４１1 ，４１2 の収納スペースを確保したことにより、従来例に比較して器体１の幅寸法を小さくすることが可能となり、しかも従負荷用コンセント３０の部分は薄くできて収納性を向上することができるという利点がある。また、幅寸法が小さくできることから、本実施形態のように器体１全体を長尺の長方形とし、主負荷用コンセント２０及び従負荷用コンセント３０の各栓刃挿入口２２，３２が一列に並んだ、いわゆるライン型の電源タップを実現することができる。
【００２３】
この突台部９には主負荷用コンセント２０のボス部２１ｅが挿入される露出窓４1 が設けられ、露出窓４1 の周囲を含む突台部９の前面が略平坦に形成されている。また、突台部９の器体１の長手方向内側の側面がテーパ面となっており、これに合わせて回路基板４１1 ，４１2 の端部も斜めにカットされている。なお、主負荷用コンセント２０、従負荷用コンセント３０、回路基板４１1 ，４１2 の間を接続する電線４２は、図２に示すように従負荷用コンセント３０とボディ１の側壁との間の隙間等に収納される。
【００２４】
またボディ２の背面側には、図７に示すように、例えば金属製の机やキャビネットなどに吸着するマグネット１０を収納するマグネット収納凹所１１が長手方向両端部に設けてある。このマグネット１０は、断面略Ｕ形の外周枠１０ｂに永久磁石１０ａを固定して構成されている。また、マグネット１０の外周枠１０ｂの一端側に係止爪１０ｃが突設されるとともに、マグネット収納凹所１１内の片壁側に上記係止爪１０ｃが係合可能なフック（図示せず）が設けてある。而して、マグネット収納凹所１１内にマグネット１０を押し込むと、フックにマグネット１０の係止爪１０ｃが引っ掛かり、抜け止めされることによってマグネット１０をワンタッチで係止でき、このマグネット１０を例えば金属製の机やキャビネット等の金属面に吸着させることで、電源タップを床以外の場所に容易に配置することができ、電源タップが床に転がって邪魔にならないようにできるものである。
【００２５】
ところで、カバー３の突台部９と反対側に設けられた露出窓４5 の周囲には、図９（ａ）に示すような電源アダプタ５０のハウジング５１の一面に当接可能なアダプタ載置台１２がカバー３の前面に突設されている。電源アダプタ５０は商用電源から供給される交流を直流に変換するものであって、ハウジング５１の一面から一対の栓刃５２が突設されるとともに他の面に商用電源に接続するための電源コード５３が設けてある。
【００２６】
而して、この電源アダプタ５０のハウジング５１を上記アダプタ載置台１２に載置した状態で栓刃５２を栓刃挿入口３２に差し込んでハウジング５１を回転させることにより、電源アダプタ５０を電源タップに機械的及び電気的に接続することができる。しかも、アダプタ載置台１２は、前面が平坦に形成されているため、図９（ｂ）に示すように接続された電源アダプタ５０と器体１との接触面積が大きく、電源アダプタ５０のぐらつきを防止することができるとともに、電源アダプタ５０のハウジング５１で他の栓刃挿入口３２が塞がれてしまうようなこともないものである。なお、本実施形態においては、突台部９の前面を平坦面としているので、上記電源アダプタ５０を主負荷用コンセント２０に接続した場合においても突台部９の前面に電源アダプタ５０が載置されることとなり、電源アダプタ５０と器体１との接触面積が大きくなって電源アダプタ５０のぐらつきを防止することができ且つ他の栓刃挿入口３２が塞がれてしまうこともないものである。
【００２７】
【発明の効果】
請求項１の発明は、商用電源に接続された主負荷用コンセントと、商用電源に開閉接点を介して接続された１乃至複数の従負荷用コンセントと、商用電源と主負荷用コンセントとの間を流れる電流を感知すると開閉接点を開閉駆動して商用電源から従負荷用コンセントへの給電を可能とする電流感知回路と、この電流感知回路を構成する回路部品が少なくとも実装された１乃至複数の回路基板とを器体内に納装して成り、他の部位よりも前面側へ突出する突台部を器体に設けるとともに、この突台部内に回路基板の少なくとも一部を収納して成り、本体前面に栓刃挿入口を有し本体内部に栓刃を受ける刃受け部材及び刃受け部材と導通する端子板が内装され端子板の少なくとも一部を本体外に露出させて成る主負荷用コンセント並びに従負荷用コンセントを、一面が開口するボディ及びボディの開口側に覆着されるカバーで構成した器体内に納装し、主負荷用コンセント及び従負荷用コンセントの栓刃挿入口を含む前面の一部を露出させる露出窓をカバーの前面に設けるとともに、主負荷用コンセントの一部が露出する露出窓を含めたカバーの部位に前記突台部を設けたので、従来例に比較して器体の幅寸法を小さくすることが可能となって収納性を向上することができるとともに、刃受け部材及び端子板がコンセントの本体に内装されるから、器体とともに二重に絶縁することになって安全性の向上が図れ、しかも、主負荷用コンセントや従負荷用コンセントをユニット化してボディとカバーから構成される器体内に収納するために組立が容易になって生産性が向上できるという効果がある。
【００２８】
請求項２の発明は、器体の突台部が設けられた部位の幅方向両端近傍に回路基板が起立状態で固定される回路基板固定部を設けたので、回路基板を固定するのにねじなどの取付部品が不要となって部品点数の削減並びに生産性の向上が図れるという効果がある。
請求項３の発明は、コンセントに差し込まれる栓刃がハウジングに突設されて成る電源アダプタの該ハウジングの一面に面接触するアダプタ載置台を器体の前面に形成したので、アダプタ載置台によって電源アダプタとの接触面積を比較的に大きくとって電源アダプタをぐらつきなく安定して保持することができ、しかも、電源アダプタのハウジングで他のコンセントが塞がれることもなく使い勝手がよくなるという効果がある。
【００２９】
請求項４の発明は、器体の背面にマグネットを配設して成るので、マグネットを金属製の机やキャビネットなどに吸着させることで電源タップを床以外に容易に設置でき、電源タップが床に転がって邪魔になるようなことがなくなるという効果がある。
【図面の簡単な説明】
【図１】実施形態を示す分解斜視図である。
【図２】同上のカバーを開けた状態の斜視図である。
【図３】同上の斜視図である。
【図４】主負荷用コンセントの分解斜視図である。
【図５】主負荷用コンセントの斜視図である。
【図６】従負荷用コンセントの分解斜視図である。
【図７】同上の背面側から見た分解斜視図である。
【図８】同上の回路構成図である。
【図９】（ａ）は同上に接続される電源アダプタの斜視図、（ｂ）は電源アダプタの取付状態の説明図である。
【符号の説明】
１  器体
２  ボディ
３  カバー
５  回路基板固定部
９  突台部
２０  主負荷用コンセント
２２  栓刃挿入口
３０  従負荷用コンセント
３２  栓刃挿入口
４１1 ，４１2   回路基板
【図１】
0003671651.tif 000002
【図２】
0003671651.tif 000003
【図３】
0003671651.tif 000004
【図４】
0003671651.tif 000005
【図５】
0003671651.tif 000006
【図６】
0003671651.tif 000007
【図７】
0003671651.tif 000008
【図８】
0003671651.tif 000009
【図９】
0003671651.tif 000010